(57)【特許請求の範囲】
【請求項１】
机であって、
前記机の使用者から見て前後方向及び左右方向に拡がる天板と、
左右方向に間隔を空けて配置され、前記天板を支持する一対の脚部と、
荷物を掛けることができるように構成されたフックと、を備え、
前記一対の脚部の少なくとも一方は、上下に長さを有する前脚と、上下に長さを有し、前記前脚よりも後方に配置される後脚と、を有しており、
上下方向に関して前記フックの位置する範囲においては、前記後脚が前記フックの前方に位置しており、
上下方向に関して前記フックの位置する範囲においては、前記フックにおける掛けられた荷物を保持する部分は、少なくともその一部が、左右方向に関して、前記後脚よりも当該机の中央側に位置している、机。
【請求項２】
机であって、
前記机の使用者から見て前後方向及び左右方向に拡がる天板と、
左右方向に間隔を空けて配置され、前記天板を支持する一対の脚部と、
荷物を掛けることができるように構成されたフックと、を備え、
前記一対の脚部の少なくとも一方は、上下に長さを有する前脚と、上下に長さを有し、前記前脚よりも後方に配置される後脚と、を有しており、
上下方向に関して前記フックの位置する範囲においては、前記後脚が前記フックの前方に位置しており、
前記後脚は、前記フックよりも前方に位置する前方部と、前記前方部よりも下方に位置しており前記フックよりも後方に位置する後方部と、を有しており、
上下方向に関して前記フックの位置する範囲においては、前記フックにおける掛けられた荷物を保持する部分は、少なくともその一部が、左右方向に関して、前記後脚よりも当該机の中央側に位置している、机。
【請求項３】
請求項１又は請求項２に記載の机であって、
前記フックは、前後方向に関して、前記一対の脚部における床面と接触する部分の前端及び後端の間の位置に設けられている、机。
【発明の詳細な説明】
【技術分野】
【０００１】
本発明は、荷物を掛けるフックを有する机に関する。
【背景技術】
【０００２】
天板と、天板を支持する左右一対の脚部を有する机において、当該机の側部にフックを設けたものがある。例えば特許文献１では、机の内側を向く鉤状のフックを設ける構成が提案されている。
【先行技術文献】
【特許文献】
【０００３】
【特許文献１】特開２０１２−７５４９０号公報
【発明の概要】
【発明が解決しようとする課題】
【０００４】
特許文献１に記載された机のように、脚部が前後に離れた２本の脚を備える構成では、後方側、即ち着席した使用者側の脚が、荷物をフックに着脱する際に妨げとなり、着脱操作が行い難くなる場合があった。特に、荷物が脚部の内側に位置するように荷物を引っ掛ける場合にその問題が顕著であった。
【０００５】
本発明の目的は、フックに対する荷物の着脱が行いやすい机を提案することである。
【課題を解決するための手段】
【０００６】
本開示の一態様は、机であって、該机の使用者から見て前後方向及び左右方向に拡がる天板と、左右方向に間隔を空けて配置され、上記天板を支持する一対の脚部と、荷物を掛けることができるように構成されたフックと、を備え、上記一対の脚部の少なくとも一方は、上下に長さを有する前脚と、上下に長さを有し、上記前脚よりも後方に配置される後脚と、を有しており、上下方向に関して上記フックの位置する範囲においては、上記後脚が上記フックの前方に位置する机である。
【０００７】
このような構成であれば、机の使用者がフックに荷物を着脱する場合において、後脚がフックよりも前方に位置するため、後脚がフックに荷物を着脱する際の妨げになりにくい。よって、使用者はフックに対する荷物の着脱を容易に行うことができる。
【０００８】
上述した机において、フックは、前後方向に関して、上記一対の脚部における床面と接触する部分の前端と後端との間となる位置に設けられていてもよい。このような構成であれば、フックに荷物を掛けて机に大きな荷重が加えられた場合であっても、前後方向に関しては、脚部における床面と接触する前後端の間よりも外側に重心が移動することはない。それにより、荷物を掛けることで机が倒れてしまうことを抑制できる。
【０００９】
また上述した机において、上記後脚は、上記フックよりも前方に位置する前方部と、上記前方部よりも下方に位置しており上記フックよりも後方に位置する後方部と、を有するように構成されていてもよい。
【００１０】
このような構成であれば、荷物をフックに掛けたときに、後脚が前後方向に渡って広い範囲で存在するため、荷物に接触しやすくなり、荷物の位置を安定させることができる。
また上述した机において、上下方向に関して上記フックの位置する範囲においては、上記フックにおける掛けられた荷物を保持する部分は、少なくともその一部が、左右方向に関して、上記後脚よりも当該机の中央側に位置していてもよい。このような構成であれば、荷物をフックに掛けつつ後脚の内側に配置することが容易になる。
【図面の簡単な説明】
【００１１】
【図１】図１Ａは、机の正面図、図１Ｂは、机の右側面図、図１Ｃは、机の背面図、図１Ｄは、机の平面図である。
【図２】図２Ａは、脚部の正面図、図２Ｂは、脚部の右側面図、図２Ｃは、脚部の底面図である。
【図３】フック周辺を拡大した背面図である。
【図４】図４Ａは、机の正面図、図４Ｂは、机の右側面図である。
【発明を実施するための形態】
【００１２】
以下に本発明の実施形態を図面と共に説明する。
［１．実施形態］
［１−１．全体構成］
本実施形態の机１は、図１Ａ〜図１Ｄに示されるように、天板１１と、一対の脚部１３Ｌ及び脚部１３Ｒと、後方に開口を有する棚部１５と、フック１７と、を備えている。
【００１３】
なお本実施形態の机１は、一対の脚部の間に使用者の足を置くことができるように、使用者の着席方向が予め設定されるものである。またこの机１の構成を説明するにあたって、机１に向かって着席した状態の使用者を基準として、前後及び左右の方向を定義する。天板１１の前方、後方は、それぞれ使用者から見て奥側、手前側と言い換えることができる。棚部１５の開口が位置する側が着席側であり机１の後ろ側である。
【００１４】
なお、上記のように方向を定めているため、図１Ａの机１における左右は図面上の左右方向とは反対になる。また、図１Ｂの右側面図は机１の左側を示すものである。
天板１１は、前後方向及び左右方向に広がる略矩形形状であって、角部分に丸みを有する板状の部材である。
【００１５】
脚部１３Ｌ及び脚部１３Ｒは、机１の左右それぞれに間隔を空けて配置されて天板１１を支持する。脚部１３Ｌ及び脚部１３Ｒの形状は左右対称であるため、以下では脚部１３Ｌのみを説明して、脚部１３Ｒの詳細な説明は割愛する。
【００１６】
脚部１３Ｌは、２本の棒状の金属パイプを屈曲及び溶接して形成されている。脚部１３Ｌは、前脚２１と、天板支持部２２と、連接部２３と、後脚２４と、前脚端３１と、後脚端３２と、を有する。
【００１７】
前脚２１は机１の前端近傍にて、略上下方向に延びる。天板支持部２２は前後方向に延び、前脚２１の上部に屈曲して接続される。連接部２３は前脚２１の下部に溶接により接続され、後方に延びる。
【００１８】
後脚２４は、連接部２３の延び出した先にて屈曲して接続されており、上方かつ前方に延び、天板支持部２２の前後方向の略中央部に溶接により接続される。
前脚端３１は前脚２１の下端に設けられる樹脂製の部材であり、後脚端３２は連接部２３の後方の屈曲部分の下部、即ち後脚２４の下端に設けられる樹脂製の部材である。
【００１９】
連接部２３及び後脚２４は、前脚２１及び天板支持部２２と接続する部分を除き、前脚２１及び天板支持部２２よりも左右方向に関して机１の外側に位置している。つまり、前脚２１よりも後脚２４の大部分は外側に配置される。
【００２０】
以上説明した脚部１３Ｌは、上下に長さを有する前脚２１と、上下に長さを有し、前脚２１よりも後方に配置される後脚２４と、によって、天板１１を床面から所定の高さに支持する。机１の設置面に対しては、前脚端３１及び後脚端３２にて接触する。
【００２１】
図２Ａ〜図２Ｃに、脚部の金属パイプ部分のみを示す。天板支持部２２は、後方の端部の上端が平板状に形成されている。この平板状の部分と、天板支持部２２における前方側の位置と、において、ねじ止めにより天板１１が固定される。
【００２２】
また脚部１３Ｌと脚部１３Ｒの前脚２１同士は、連結杆３３により結ばれている。
棚部１５は、天板１１の下方において、天板１１と略平行に設けられる平面部４１と、平面部４１の端部から天板１１に向かって延び出す側面部４３と、を有しており、天板１１、平面部４１、及び側面部４３により囲まれる領域を、荷物を収納可能な収納領域として構成する。
【００２３】
平面部４１は略矩形の板状である。側面部４３は、平面部４１の前方の端部から上方向に延び出す部分である前側部４３Ｆと、平面部４１の左方の端部から上方向に延び出す部分である左側部４３Ｌと、平面部４１の右方の端部から上方向に延び出す部分である右側部４３Ｒと、を有する。収納領域の後方側は開放されており、後方側が開口となる。
【００２４】
［１−２．フックの形状及び配置］
図３にフック１７の拡大図を示す。フック１７は机１の左右両側に設けられているが、左右対称であるため、右側のフック１７を説明し、左側のフック１７の説明を省略する。
【００２５】
フック１７は、棚部１５に一体成型されており、平面部４１及び右側部４３Ｒの接続する部分から、右方向に向かって延び出す延出部５１を有している。
延出部５１は、その上側の面であって、相対的に棚部１５側に位置する第１面５３と、相対的に第１面５３よりも左右方向外側かつ上側に位置する第２面５５と、を有している。
【００２６】
延出部５１において、第１面５３は略水平に広がる面であって、後方から見て、後脚２４よりも左右方向の内側の位置から、後脚２４に重なり、後脚２４の左右方向の中央付近まで広がっている。
【００２７】
延出部５１は、延び出した先が上方に突出する突出部５１ａとして形成されている。その結果、延出部５１の上面は、第１面５３が形成される部分よりも外側の先端近傍において急激に上昇し、上述した第２面５５が形成される。
【００２８】
つまり、延出部５１は、その上面において、相対的に傾斜の小さい領域と、相対的に傾斜の大きい領域と、を有し、傾斜の大きい領域が机１の外側に位置する。
このように延出部５１の上面が形成されていることにより、第１面５３の上方に鞄の提げ手などを掛けることができる保持領域５７が形成されると共に、提げ手が滑ってフック１７から脱落してしまうことが抑制される。
【００２９】
次に、フック１７の取付位置について説明する。本実施形態において、フックの位置は、以下の４つの条件を満たすように配置される。
（ｉ）上下方向に関してフック１７の位置する範囲においては、図４Ｂに示されるように、後脚２４がフック１７の前方に位置すること。ここでいうフック１７の位置する範囲とは、少なくとも、延出部５１を含む範囲である。
【００３０】
なお本条件を異なる表現で示すと次のようになる。上下かつ前後に広がる平面に机１を投影したときに、フック１７が、後脚２４の位置を境界として前後に区切られる領域のうち、後側の領域に位置すること。
【００３１】
（ｉｉ）フック１７が、図４Ｂに示されるように、前後方向に関して、一対の脚部における床面と接触する部分の前端と後端との間となる位置に設けられていること。つまり、フック１７が、前後方向に関して前脚端３１及び後脚端３２の間に位置していること。
【００３２】
（ｉｉｉ）後脚２４が、図４Ｂに示されるように、前後方向に関して、フック１７よりも前方及び後方の両方に後脚が位置するように配置されること。つまり後脚２４は、フック１７よりも前方に位置する前方部６１と、前方部６１よりも下方に位置しておりフック１７よりも後方に位置する後方部６３と、を有する。前方部６１と後方部６３の境界は、側方から見てフック１７の真下となる位置である。
【００３３】
（ｉｖ）フック１７の第１面５３の一部が、図３に示されるように、後脚２４よりも机の中央側に位置していること。言い換えると、上下方向に関してフック１７の位置する範囲においては、フック１７における引っ掛けられた荷物を保持する部分、即ち上述した保持領域５７のうち、少なくともその一部が、左右方向に関して、後脚２４よりも机１の中央側に位置していること。
【００３４】
（ｖ）図４Ｂに示されるように、机１を側方から見たときに、フック１７と後脚２４との上下方向の距離Ｌが、１６ｃｍ〜４１ｃｍの範囲にあること。距離Ｌは、第１面５３から、後脚２４の外表面までの距離である。
【００３５】
このような（ｉ）〜（ｖ）の条件を満たす配置である机１は、図４Ａ、図４Ｂに示すように、鞄２をフック１７にかけると、鞄２の側方に後脚２４が位置することとなる。鞄２は図４Ａに示すように後脚２４の内側に配置することもでき、その場合に鞄２は後脚２４に接触することで後脚２４の外側にはみ出すことが抑制される。
【００３６】
［１−３．効果］
以上詳述した実施形態によれば、以下の効果が得られる。
（１ａ）机１の使用者がフック１７に荷物を着脱する場合に、後方に位置する脚である後脚２４がフック１７よりも前方に位置するため、使用者がフック１７に荷物を着脱する際に後脚２４が妨げになりにくい。よって、使用者はフック１７に対する荷物の着脱を容易に行うことができる。
【００３７】
（１ｂ）フック１７の高さにおいてはフック１７よりも前方に後脚２４が位置しているものの、フック１７は脚部の後端である後脚端３２よりも前方に配置されているため、フック１７に荷物を掛けて机１に大きな荷重が加えられた場合であっても、重心が後脚端３２よりも後方に移動することはなく、机１が倒れてしまうことを抑制できる。
【００３８】
（１ｃ）後脚２４はフック１７よりも前方の前方部６１と後方の後方部６３とを有しているため、荷物をフック１７に掛けたときに、後脚２４は前後方向に渡って広い範囲で荷物に接触する。そのためフック１７に掛けられた荷物がフック１７を中心に回転することが抑制され、荷物の位置を安定させることができる。
【００３９】
（１ｄ）第１面５３の一部が後脚２４よりも机の中央側に位置しているため、荷物をフック１７に掛けて後脚２４の内側に配置することを容易に実現することができる。
［２．その他の実施形態］
以上本発明の実施形態について説明したが、本発明は、上記実施形態に何ら限定されることはなく、本発明の技術的範囲に属する限り種々の形態をとり得ることはいうまでもない。
【００４０】
（２ａ）上記実施形態では、一対の脚部は左右対称形である構成を例示したが、フック１７と後脚２４との位置関係については、少なくとも左右のいずれか一方に配置されたフック１７と後脚２４とがその関係を満たしていればよい。即ち、例えば脚部１３Ｌ側にフック１７が設けられている場合においては、右側の脚部の構成は、天板１１を支持することのできる様々な形態とすることができる。
【００４１】
（２ｂ）上記実施形態では、フック１７の配置条件として、上述した（ｉ）〜（ｖ）の条件を示したが、これらは全てを満たしていなくともよく、少なくとも、（ｉ）の条件を満たすものであればよい。また、（ｉｉ）〜（ｖ）のいずれを条件として含めるかについては任意である。例えば、（ｖ）が満たされない構成としてもよい。
【００４２】
なお（ｉｉ）に関しては、両方の脚部に対してその条件を満たしていることが好ましいが、フック１７の設けられる側又はその反対側の脚部においてのみその条件を満たす構成であってもよい。
【００４３】
（２ｃ）フックの形状は、上記実施形態で例示した構成に限定されない。
例えば、フック１７は棚部１５と一体成型されていなくともよい。その場合において、フック１７は、棚部１５に取り付けられる構成であってもよいし、脚部１３Ｌ、１３Ｒや天板１１に対して固定される構成であってもよい。
【００４４】
またフック１７は、ブロック状や板状の形態に限らない。例えば、棒材を折り曲げた形状であってもよい。
また、第１面５３は水平面でなくともよく、また、平面状ではなく曲面状であってもよい。
【００４５】
また、フック１７の保持領域５７、即ち棚部１５の壁面と第２面５５を構成する突出部５１ａとの間の領域は、少なくともフック１７の高さの範囲において（より限定的には、第１面５３の高さにおいて）、後脚２４よりも内側に存在していれば、上述した（１ｄ）の効果を奏することができる。つまり、正面から机１を見て後脚２４とは重ならない位置にのみ保持領域５７が形成される構成であってもよいし、後脚２４よりも外側にまで保持領域５７が広がっている構成であってもよい。また、保持領域５７は後脚２４よりも外側にその全部が存在していてもよい。
【００４６】
また、フックは外側に向かって鉤状である構成を例示したが、内側に向かって鉤状であってもよい。
（２ｄ）フック以外の部分においても、形状、材質などは上記実施形態で例示した構成に限定されない。例えば天板は略矩形でなくてもよい。また脚部は金属パイプ以外の材料で形成されていてもよいし、また天板を支持できる様々な形状とすることができる。
【符号の説明】
【００４７】
１…机、２…鞄、１１…天板、１３Ｌ…脚部、１３Ｒ…脚部、１５…棚部、１７…フック、２１…前脚、２２…天板支持部、２３…連接部、２４…後脚、３１…前脚端、３２…後脚端、３３…連結杆、４１…平面部、４３…側面部、４３Ｆ…前側部、４３Ｌ…左側部、４３Ｒ…右側部、５１…延出部、５１ａ…突出部、５３…第１面、５５…第２面、５７…保持領域、６１…前方部、６３…後方部
【図１】
0006725263.tif 000002
【図２】
0006725263.tif 000003
【図３】
0006725263.tif 000004
【図４】
0006725263.tif 000005